(57)【特許請求の範囲】
【請求項１】
重心を含む垂線から外表面に達する垂直断面半円状の扇形穴、および重心を含むように水平な横穴を備えたシンカー本体と、そのシンカー本体の扇形穴および横穴に対して着脱自在に装着されるとともに、その装着によって釣り糸を固定する釣り糸固定体とが組立て可能なスプリットショットシンカー組立てキット。
【請求項２】
シンカー本体は、重心を含む垂線から外表面に達する垂直断面半円状の扇形穴、および重心を含むように水平な横穴を備え、釣り糸固定体は、扇形穴および横穴に装着されて釣り糸を固定可能とする板バネである請求項１記載のスプリットショットシンカー組立てキット。
【請求項３】
シンカー本体が高比重樹脂組成物からなる請求項１又は２記載のスプリットショットシンカー組立てキット。
【請求項４】
釣り糸固定体が樹脂組成物からなる請求項１又は３記載のスプリットショットシンカー組立てキット。
【発明の詳細な説明】
【０００１】
【発明が属する技術分野】
この発明は、釣り糸に取り付ける錘に関するものである。
【０００２】
【従来の技術】
従来、釣り糸に取り付ける錘には、鉛が用いられていた。鉛は、比重が大きいので釣り糸を遠くに飛ばし、水中に沈めることができるからである。また、常温で簡単に塑性変形させることができる性質を持っているために、とくに釣り錘の一種であるスプリットショットシンカー（がん玉錘）に用いられてきた。スプリットショットシンカーは、図１１（イ）に示す、球状のシンカー本体(80)に切れ目(85)を備えるものであり、図１１（ロ）にあるように、切れ目(85)に釣り糸(70)を挿入し、この切れ目(85)を外側から押し潰して簡易に釣り糸(70)に取り付ける錘である。
【０００３】
【発明が解決しようとする課題】
まず、切れ目を押し潰すという錘の取付作業は、個人的な差異が生じやすく、初心者はとまどう場合がある。また、鉛は有害物質であり、釣り糸が切れるなどして釣り錘が自然界に放置された場合に、環境を破壊する危険がある。そこで、鉛に代わる釣り錘として、環境破壊の危険性が少ない高比重の樹脂組成物などを使用することが考えられる。但し、鉛のような軟らかさがない場合は、切れ目を押し潰して釣り糸に取り付けるスプリットショットシンカーとして使用できない。そこで、本発明が解決すべき課題は、錘の取付作業において個人的な差異が生じない、一律な取付が可能なスプリットショットシンカーに関する技術を提供することにある。ここで、請求項１〜５に記載の発明の目的は、錘の取付作業において個人的な差異が生じない、一律な取付が可能なスプリットショットシンカー組立てキットを提供することにある。加えて、請求項４および請求項５に記載の発明の目的は、鉛に代わる高比重の樹脂組成物などの採用可能なスプリットショットシンカー組立てキットを提供することにある。
【０００４】
【課題を解決するための手段】
（請求項１）
本発明は、上記した目的を達成するためのものである。請求項１記載の発明は、重心(14)を含む垂線から外表面に達する垂直断面半円状の扇形穴(11)、および重心(14)を含むように水平な横穴(12)を備えたシンカー本体(10)と、そのシンカー本体(10)の扇形穴(11)および横穴(12)に対して着脱自在に装着されるとともに、その装着によって釣り糸(70)を固定する釣り糸固定体（扇形釣り糸固定体30）とが組立て可能なスプリットショットシンカー組立てキットに係る。
【０００５】
（作用）
シンカー本体(10)が扇形穴(11)の他に、横穴(12)を備えることにより、釣り糸固定体(30)は、釣り糸(70)の長手方向にずれにくくなり、シンカー本体(10)に対して、強固に装着される。その結果、扇形穴(11)に挿入された釣り糸(70)は、シンカー本体(10)に確実に固定される。
【０００６】
（請求項３）
請求項２記載の発明は、請求項１記載のスプリットショットシンカーを限定したものであって、シンカー本体(25)は、重心(14)を含む垂線から外表面に達する垂直断面半円状の扇形穴(26)、および重心(14)を含むように水平な横穴(27)を備え、釣り糸固定体は、扇形穴(26)および横穴(27)に装着されて釣り糸(70)を固定する板バネ(50)である請求項１記載のスプリットショットシンカー組立てキットに係る。
【０００７】
（作用）
釣り糸(70)は、シンカー本体(25)に装着された板バネ(50)と扇形穴(26)との当接部分に挟まれてシンカー本体(25)へ固定されるか、または、板バネ(50)自身に挟まれてシンカー本体(25)へ固定される。従って、シンカー本体(25)を変形させなくても、釣り糸(70)へ取り付けることができるので、熟練度によって取付作業に差異が出にくいほか、シンカー本体(25)の材料選択の幅が広がる。
【０００８】
（請求項３）
請求項３記載の発明は、請求項１又は２記載のスプリットショットシンカーを限定したものであって、シンカー本体(10,20,25)が高比重樹脂組成物からなる請求項１又は２記載のスプリットショットシンカー組立てキットに係る。
【０００９】
（用語説明）
「高比重樹脂組成物」とは、樹脂組成物に高比重金属及びカップリング剤を加えたものである。ここで、樹脂組成物としては、熱可塑性樹脂であるポリプロピレン、ポリエチレン、ポリエチレンデレフタレート又はポリプチレンテレフタレート、或いはこれら樹脂の任意の混合物がある。また、熱可塑性樹脂に澱粉をベースとする生分解性成分を添加して組成物に生分解性を持たせ、生分解性樹脂組成物とすることもできる。高比重金属としては、タングステンを使用するとよい。
【００１０】
（作用）
シンカ−本体(10,20,25)が高比重樹脂組成物からなることで、釣り糸(70)を遠くに飛ばし、水中に沈めることができるというスプリットショットシンカーの目的を達成できるとともに、鉛のような有害物質ではないので、自然界に放置された場合でも、環境を破壊する危険性が少ない。また、高比重樹脂組成物が生分解性樹脂組成物であれば、自然界において分解され、環境保全に役立つ。
【００１１】
（請求項４）
請求項４記載の発明は、請求項１又は３記載のスプリットショットシンカーを限定したものであって、釣り糸固定体(30,40)が樹脂組成物からなる請求項１又は３記載のスプリットショットシンカー組立てキットに係る。
【００１２】
（作用）
釣り糸固定体(30,40)が樹脂組成物からなることで、鉛のような有害物質ではないので、自然界に放置された場合でも、環境を破壊する危険性が少ない。また、樹脂組成物が生分解性樹脂組成物であれば、自然界において分解され、環境保全に役立つ。
【００１３】
【発明の実施の形態】
以下、本発明を実施の形態及び図面に基づいて、更に詳しく説明する。ここで使用する図面は、図１〜図１０である。
【００１４】
スプリットショットシンカー組立てキットは、図１(イ)の球状のシンカー本体(10)と図１（ロ）の扇形釣り糸固定体(30)とを備えて構成される。シンカー本体(10)は、外表面から重心(14)を含む垂線に達する扇形穴(11)と、重心(14)を含むように水平な横穴(12)とを備えている。扇形穴(11)は垂直断面形状が半円状の扇形をしており、横穴(12)は円錐状である。そして、この扇形穴(11)および横穴(12)に対して、着脱自在に装着される扇形釣り糸固定体(30)は、扇形穴(11)に嵌合する扇部(31)と、横穴(12)に嵌合する円錐部(35)とからなっている。
【００１５】
図２は、この組立てキットを組立て、スプリットショットシンカーを釣り糸(70)に取り付ける状態を示している。まず、シンカー本体(10)の扇形穴(11)に釣り糸(70)を挿入し、次に扇形釣り糸固定体(30)を横から装着する。すると、釣り糸(70)は、扇形穴(11)内で扇形釣り糸固定体(30)に挟まれ固定される。これにより、スプリットショットシンカーを釣り糸(70)に取り付けることができる。この場合、釣り糸(70)がシンカー本体(10)の重心(14)を含む垂線部分にあるので、シンカー本体(10)に対してバランスよく固定される。
【００１６】
スプリットショットシンカーは、釣りの仕掛けに応じて大小様々な大きさのものが用意される。しかし、小型のスプリットショットシンカーの場合に、狭い扇形穴(11)および横穴(12)へ小さな扇形釣り糸固定体(30)を装着することは容易ではない。このため、図２に示すように、扇形釣り糸固定体(30)を切り離し可能に複数連結させて作製し、この連結させた成型品を指で掴みながら、一番先端にある扇形釣り糸固定体(30)を扇形穴(11) および横穴(12)へ装着する。そして、装着した扇形釣り糸固定体(30)を切り離す。これにより、スプリットショットシンカーの釣り糸(70)への取り付け作業が容易となる。
【００１７】
この場合、スプリットショットシンカー組立てキットは、扇形釣り糸固定体(30)が切り離し可能に複数連結された成型品と、複数のシンカー本体(10)との組合せによって提供される。そして、このキットの購入者は、釣りの仕掛けを作る際に、キットから扇形釣り糸固定体(30)の連結された成型品とシンカー本体(10)とを取り出して、両者を組立てることにより、釣り糸(70)にスプリットショットシンカーを取り付ける。
【００１８】
また、図３に示すように、扇形釣り糸固定体(30)の扇部(31)とシンカー本体(10)の扇形穴(11)とが釣り糸(70)を挟む部分(33,17)に、互いに噛み合う凹凸を設けることもできる。図４は、凹凸を設けた扇部(31)および扇形穴(11)によって、釣り糸(70)を固定させる状態を示すものである。凹凸は、釣り糸(70)に対し摩擦抵抗を増やし、釣り糸(70)が長手方向へずれにくくなり、釣り糸(70)をより確実に固定することができるようになる。なお、凹凸は、扇部(31)または扇形穴(11)のどちらか一方にのみ設けてもよい。
【００１９】
次に、スプリットショットシンカー組立てキットは、図５（イ）の球状のシンカー本体(20)と、図５R>５（ロ）の楔形釣り糸固定体(40)とを備えて構成される。シンカー本体(20)は、扇形穴(21)の重心を含む垂線部分(22)を他の部分よりも太く円錐状に形成している。楔形釣り糸固定体(40)は円錐形状をしている。
【００２０】
そして、この組立てキットを組立て、スプリットショットシンカーを釣り糸(70)に取り付けるためには、図６に示すように、扇形穴(21)の垂線部分(22)に釣り糸(70)を挿入し、次に、楔形釣り糸固定体(40)を上方から装着する。すると、釣り糸(70)は垂線部分(22)内で楔形釣り糸固定体(40)に挟まれて固定される。この場合も、釣り糸(70)がシンカー本体(20)の重心を含む垂線部分(22)にあるため、シンカー本体(20)に対してバランスよく固定される。
【００２１】
この場合、図５（ロ）に示すように、楔形釣り糸固定体(40)に切り離し可能なグリップ(45)を備え、このグリップ(45)を持って楔形釣り糸固定体(40)をシンカー(20)の垂線部分(22)に装着し、装着後楔形釣り糸固定体(40)からグリップ(45)を切り離す。これにより、スプリットショットシンカーの釣り糸(70)への取り付け作業が容易となる。
【００２２】
また、図７（イ）に示すように、楔形釣り糸固定体(40)を挿入方向に分離し、楔Ａ(41)・楔Ｂ(42)とする。そして、楔Ａ(41)と楔Ｂ(42)とで釣り糸(70)を挟んだ状態にして、この楔形釣り糸固定体(40)をシンカー本体(20)に装着することにより、釣り糸(70)を固定することができる。図７（ロ）にその装着状態を示す。この場合、楔Ａ(41)及び／又は楔Ｂ(42)に釣り糸(70)が係止される切り溝(46)を設けるとよい。
【００２３】
さらに、スプリットショットシンカー組立てキットは、図８（イ）の球状のシンカー本体(25)と図８R>８（ロ）の板バネ(50)とを備えて構成される。シンカー本体(25)は、外表面から重心(14)を含む垂線に達する扇形穴(26)、および重心を含むように水平な横穴(27)を備えている。板バネ(50)は、断面略Ｙ字型をしており、その端部(51)が横穴(27)に差し込まれて装着される。
【００２４】
図９は、シンカー本体(25)に板バネ(50)を装着し、釣り糸(70)を固定させた状態である。板バネ(50)を扇形穴(26)に装着し、扇形穴(26)内に装着された板バネ(50)の挟み部(53)で釣り糸(70)を挟み、釣り糸(70)を固定するものである。
【００２５】
また、その他の板バネ(50)として、図１０（イ）〜（ニ）に示すものがある。それぞれ、図示する部分で、釣り糸(70)が固定される。すなわち、図１０（イ）（ニ）は、扇形穴(26)に装着された板バネ(50)と扇形穴(26)との当接部分に、釣り糸(70)が挟まれて固定されるものである。また、図１０（ロ）（ハ）は、扇形穴(26)内に装着された板バネ(50)の挟み部(53)で釣り糸(70)を挟み、釣り糸(70)を固定するものである。
【００２６】
以上の実施形態では、シンカー本体(10,20,25)が主として球状のものであるが、これに限定されることはなく、例えば、図３および図４に示すような卵形または楕円形のシンカー本体であってもよい。
【００２７】
また、シンカー本体(10,20,25)の材質として、釣り糸(70)を遠くに飛ばし、水中に沈めることができるために、高比重のものであることが必要である。さらに、自然環境に優しいことが要求される。従って、本発明のシンカー本体(10,20,25)に用いる材質として、高比重樹脂組成物を使用したものが望ましい。この場合、樹脂組成物が生分解性樹脂組成物であれば、自然界において分解され、環境保全に役立つ。本発明では、本件出願人が開発した樹脂組成物を使用する（特願平１１−５９５４６号記載の「高比重熱可塑性樹脂組成物」）。扇形釣り糸固定体(30)や楔形釣り糸固定体(40)についても同様に、樹脂組成物を使用したものが望ましい。本発明では、生分解性樹脂組成物として、昭和電工株式会社「ビオノーレ」、株式会社島津製作所「ラクティ」を使用する。
【００２８】
【発明の効果】
請求項１〜４に記載の発明によれば、錘の取付作業において個人的な差異が生じない、一律な取付が可能なスプリットショットシンカー組立てキットを提供することができた。加えて、請求項３および請求項４に記載の発明によれば、鉛に代わる高比重の樹脂組成物などの採用可能なスプリットショットシンカー組立てキットを提供することができた。
【図面の簡単な説明】
【図１】（イ）シンカー本体(10)の左側面図および断面図である。
（ロ）扇形釣り糸固定体(30)の正面図である。
【図２】スプリットショットシンカーの組立て状態を示す説明図である。
【図３】（イ）シンカー本体(10)の左側面図および断面図である。
（ロ）扇形釣り糸固定体(30)の正面図および平面図である。
【図４】スプリットショットシンカーの組立て状態を示す説明図である。
【図５】（イ）シンカー本体(20)の平面図および正面図である。
（ロ）楔形釣り糸固定体(40)の正面図である。
【図６】スプリットショットシンカーの組立て状態を示す説明図である。
【図７】（イ）楔形釣り糸固定体(40)の平面図および正面図である。
（ロ）スプリットショットシンカーの組立て状態を示す説明図である。
【図８】（イ）シンカー本体(25)の正面図および断面図である。
（ロ）板バネ(50)の正面図および斜視図である。
【図９】スプリットショットシンカーの組立て状態を示す説明図である。
【図１０】板バネ(50)のその他の実施形態である。
【図１１】（イ） スプリットショットシンカーの従来例を示す平面図および正面図である。
（ロ）釣り糸(70)へ従来例のスプリットショットシンカーを取り付ける状態を示す説明図である。
【符号の説明】
１０    シンカー本体              １１    えぐり穴
１２    横穴                      １４    重心
１７    釣り糸挟み部分            ２０    シンカー本体
２１    えぐり穴                  ２２    垂線部分
２５    シンカー本体              ２６    えぐり穴
２７    横穴                      ３０    扇形釣り糸固定体
３１    扇部                      ３３    釣り糸挟み部分
３５    円錐部                    ４０    楔形釣り糸固定体
４１    楔Ａ                      ４２    楔Ｂ
４５    グリップ                  ４６    切り溝
５０    板バネ                    ７０    釣り糸
８０    シンカー本体              ８５    切れ目
【図１】
0003793957.tif 000002
【図２】
0003793957.tif 000003
【図３】
0003793957.tif 000004
【図４】
0003793957.tif 000005
【図５】
0003793957.tif 000006
【図６】
0003793957.tif 000007
【図７】
0003793957.tif 000008
【図８】
0003793957.tif 000009
【図９】
0003793957.tif 000010
【図１０】
0003793957.tif 000011
【図１１】
0003793957.tif 000012